(57)【要約】【課題】陳列室に冷気を留まらせて冷却効率を向上させることができるオープンショーケースを提供する。【解決手段】オープンショーケース１は、下部から上部に向かって延びるダクト２０と、ダクト２０内に吸い込まれた空気を冷却して冷気Ｋを生じさせる冷却器２２と、ダクト２０内の下部から上部に向かって冷気を送る送風機２１と、陳列部１１〜１５のそれぞれに対応して後面板８に開口され、ダクト２０内の冷気Ｋを陳列室２に向かって吹き出させる後面吹出部４１〜４５と、後面板８の後面吹出部４１〜４５とその上方に位置する陳列棚９との間に配置される大口吹出部３６，３７と、ダクト２０内の流路が開放される第１位置とダクト２０内の流路が閉鎖される第２位置との間で移動可能で、かつこの移動により大口吹出部３６，３７および後面吹出部４３の一部を開放または閉塞する仕切板３４とを備える。【選択図】  図４
2019202056.tif 000002
【特許請求の範囲】
【請求項１】
前面の開口から被陳列物が出し入れ自在に陳列される陳列室と、
前記陳列室に設けられ、前記被陳列物が配置される上下方向に並んだ複数の陳列棚のそれぞれに対応する陳列部と、
少なくとも前記陳列室の後面板よりも後方側を下部から上部に向かって延びるダクトと、
前記陳列室の下部から前記ダクト内に吸い込まれた空気を冷却して冷気を生じさせる冷却器と、
前記ダクト内の下部から上部に向かって前記冷気を送る送風機と、
前記陳列部のそれぞれに対応して前記後面板に開口され、前記ダクト内の前記冷気を前記陳列室に向かって吹き出させる後面吹出部と、
前記後面板の前記後面吹出部とその上方に位置する前記陳列棚との間に配置される大口吹出部と、
前記ダクト内の流路が開放される第１位置と前記ダクト内の流路が閉鎖される第２位置との間で移動可能で、かつこの移動により前記大口吹出部および前記後面吹出部の一部を開放または閉塞する仕切板と、
を備えるオープンショーケース。
【請求項２】
前記仕切板は、前記大口吹出部に出し入れ可能に配置され、前記仕切板が前記第１位置にあるときに前記大口吹出部が閉塞され、前記仕切板が前記第２位置にあるときに前記大口吹出部が開放され、
前記後面吹出部には、前記大口吹出部の下方位置に設けられて前記仕切板により開閉される開閉領域と、この開閉領域の下方位置に設けられて常時開放される開放領域とが設けられる請求項１に記載のオープンショーケース。
【請求項３】
前記ダクト内に設けられ、前記大口吹出部の下方位置から突出される風向板を備える請求項１または請求項２に記載のオープンショーケース。
【請求項４】
上下に隣接する複数の前記陳列部のそれぞれに対応する前記後面吹出部および前記仕切板が設けられ、
前記仕切板の移動により変化される前記開口面積が、下方側の前記後面吹出部よりも上方側の前記後面吹出部の方が小さくなっている請求項１から請求項３のいずれか１項に記載のオープンショーケース。
【請求項５】
前面の開口から被陳列物が出し入れ自在に陳列される陳列室と、
前記陳列室に設けられ、前記被陳列物が配置される上下方向に並んだ複数の陳列棚のそれぞれに対応する陳列部と、
少なくとも前記陳列室の後面板よりも後方側を下部から上部に向かって延びるダクトと、
冷凍サイクルの一部を構成し、前記陳列室の下部から前記ダクト内に吸い込まれた空気を冷却して冷気を生じさせる冷却器と、
前記ダクト内の下部から上部に向かって前記冷気を送る送風機と、
少なくとも１つの前記陳列部に対応して前記後面板に開口され、前記ダクト内の前記冷気を前記陳列室に向かって吹き出させるとともに、下方から上方に向かって順次配置される第１吹出部と第２吹出部と第３吹出部と、
前記ダクト内の流路が開放される第１位置と前記ダクト内の流路が閉鎖される第２位置との間で移動可能な仕切板と、
を備え、
前記第２吹出部および前記第３吹出部は、前記仕切板が前記第１位置にある場合に閉塞され、前記仕切板が前記第２位置にある場合に開放されるオープンショーケース。
【請求項６】
前記仕切板が第２位置にある場合に、前記第２吹出口から前面へ吹き出される前記冷気の風量よりも、前記第３吹出口から吹き出される前記冷気の風量が大きくなっている請求項５に記載のオープンショーケース。
【請求項７】
前記仕切板は、前記第３吹出口に出し入れ可能に配置されることを特徴とする請求項５または請求項６に記載のオープンショーケース。
【請求項８】
前面の開口から被陳列物が出し入れ自在に陳列される陳列室と、
前記陳列室に設けられ、前記被陳列物が配置される上下方向に並んだ複数の陳列棚のそれぞれに対応する陳列部と、
少なくとも前記陳列室の後面板よりも後方側を下部から上部に向かって延びるダクトと、
冷凍サイクルの一部を構成し、前記陳列室の下部から前記ダクト内に吸い込まれた空気を冷却して冷気を生じさせる冷却器と、
前記ダクト内の下部から上部に向かって前記冷気を送る送風機と、
前記陳列部のそれぞれに対応して前記後面板に開口され、前記ダクト内の前記冷気を前記陳列室に向かって吹き出させるとともに、下方から上方に向かって順次配置される第１吹出部と第２吹出部と第３吹出部と、
前記陳列部同士の間に設けられ、前記ダクト内の流路が開放される第１位置と前記ダクト内の流路が閉鎖される第２位置との間で移動可能な仕切板と、
を備え、
前記仕切板は、前記第１位置と前記第２位置との間で移動されるときに、前記第２吹出部を開放または閉塞する第１の仕切板と前記第３吹出部を開放または閉塞する第２の仕切板とから成るオープンショーケース。
【発明の詳細な説明】
【技術分野】
【０００１】
本発明の実施形態は、オープンショーケースに関する。
【背景技術】
【０００２】
従来、多段の陳列棚を備え、主に商品を冷蔵するショーケースにおいて、季節商品または販促方針に応じて上方の陳列棚を温蔵用または常温用に切り換えられるものがある。このショーケースでは、陳列部の背面板に設けられた挿入口に中間棚ダクトの後部を挿入することで、陳列部の背面部を流れる冷風を中間棚ダクトにより前面部に導き、中間棚ダクトよりも上方を温蔵用または常温用として利用することができるようにしている。
【先行技術文献】
【特許文献】
【０００３】
【特許文献１】特開２００９−１５６４７５号公報
【発明の概要】
【発明が解決しようとする課題】
【０００４】
しかしながら、中間ダクトを差し込む方法では棚板下方に中間ダクトを差し込むスペースを必要とするため、陳列スペースが狭くなってしまう。また、構造の複雑化によって機器そのものが高価になるという問題がある。さらに、前述の技術では、中間棚ダクトの先端から勢いよく冷気が吹き出してしまうので、陳列部に冷気が留まらず、冷却効率が悪くなるという課題がある。
【０００５】
本発明の実施形態は、このような事情を考慮してなされたもので、簡素な構造でより安価でありながら陳列室に冷気を留まらせて冷却効率を向上させることができるオープンショーケースを提供することを目的とする。
【課題を解決するための手段】
【０００６】
本発明の実施形態に係るオープンショーケースは、前面の開口から被陳列物が出し入れ自在に陳列される陳列室と、前記陳列室に設けられ、前記被陳列物が配置される上下方向に並んだ複数の陳列棚のそれぞれに対応する陳列部と、少なくとも前記陳列室の後面板よりも後方側を下部から上部に向かって延びるダクトと、冷凍サイクルの一部を構成し、前記陳列室の下部から前記ダクト内に吸い込まれた空気を冷却して冷気を生じさせる冷却器と、前記ダクト内の下部から上部に向かって前記冷気を送る送風機と、前記陳列部のそれぞれに対応して前記後面板に開口され、前記ダクト内の前記冷気を前記陳列室に向かって吹き出させる後面吹出部と、前記後面板の前記後面吹出部とその上方に位置する前記陳列棚との間に配置される大口吹出部と、前記ダクト内の流路が開放される第１位置と前記ダクト内の流路が閉鎖される第２位置との間で移動可能で、かつこの移動により前記大口吹出部および前記後面吹出部の一部を開放または閉塞する仕切板と、を備える。
【図面の簡単な説明】
【０００７】
【図１】本実施形態のオープンショーケースを示す斜視図。
【図２】オープンショーケースを示す側断面図。
【図３】各仕切板が第１位置に移動した状態の陳列室を示す側断面図。
【図４】下段の仕切板が第２位置に移動した状態の陳列室を示す側断面図。
【図５】上段の仕切板が第２位置に移動した状態の陳列室を示す側断面図。
【図６】各仕切板が第１位置に移動した状態の陳列室を示す正面図。
【図７】下段の仕切板が第２位置に移動した状態の陳列室を示す正面図。
【図８】上段の仕切板が第２位置に移動した状態の陳列室を示す正面図。
【発明を実施するための形態】
【０００８】
以下、図面を参照しながら、オープンショーケースの実施形態について詳細に説明する。以下、図２から図５の紙面左側をオープンショーケースの正面側（前方側）として説明する。図１の符号１は、本実施形態のオープンショーケースである。このオープンショーケース１は、主に食料品などを販売する店舗に設置され、ペットボトル飲料、缶飲料、冷蔵食品などの商品（被陳列物）を陳列するために用いられる。このオープンショーケース１は、冷凍サイクルを構成する機器を備え、商品を冷蔵または冷凍した状態で陳列することができる。
【０００９】
図１に示すように、本実施形態のオープンショーケース１は、正面視および側面視で四角形状を成す箱状の什器である。このオープンショーケース１は、その前面側が開口されている。この前面の開口から商品が出し入れ自在に陳列される陳列室２が設けられている。陳列室２の上部には、天井部３が設けられ、陳列室２の下部には、機器が収容される基台部４が設けられている。
【００１０】
陳列室２の左右両側面には、ガラス板５が設けられている。このガラス板５は、断熱性を有する複層ガラスから成る。なお、陳列室２の左右両側面のうち、いずれか一方にガラス板５を設けるとともに、他方に側板を設けるようにしても良い。
【００１１】
図２に示すように、オープンショーケース１は、側断面視で正面が開口されたコ字形状を成す。陳列室２は、天井板６と底面棚板７と後面板８とで囲まれた空間である。この陳列室には、上下方向に並んだ複数段の陳列棚９（棚板）が設けられている。各陳列棚９は、後面板８に着脱自在に取り付けられる。これら陳列棚９および底面棚板７の上面に複数の商品１０が載置される。これら陳列棚９および底面棚板７の上面のそれぞれが、商品１０を陳列する陳列部１１〜１５となっている。
【００１２】
陳列室２の開口の下縁辺近傍であり、かつ底面棚板７の前方位置には、陳列室２の冷気Ｋ（空気）を吸い込む吸込部１６が設けられている。この吸込部１６は、複数のスリット孔が設けられた蓋材１７で閉塞されている。また、陳列室２の開口の上縁辺近傍であり、かつ天井板６の前方位置には、陳列室２に向けて冷気Ｋを吹き出す吹出部１８が設けられている。この吹出部１８は、下方に向かって開口されている。そして、吹出部１８から下方に吹き出された冷気Ｋによって陳列室２の内部の温度が下げられる。
【００１３】
オープンショーケース１の内部には、天井板６と底面棚板７と後面板８とをさらに囲むように、側面視でコ字形状を成す断熱部１９が設けられている。この断熱部１９は、天井板６と底面棚板７と後面板８とのそれぞれから所定の空間を空けて配置されている。そして、吸込部１６から吹出部１８に掛けて冷気Ｋを循環させる冷気循環ダクト２０が形成される。
【００１４】
冷気循環ダクト２０の内部であり、かつ底面棚板７の下方位置には、陳列室２から吸い込まれた冷気Ｋを送るための冷気循環用送風機２１が設けられる。さらに、冷気循環ダクト２０の内部であり、かつ後面板８の後方位置には、冷気Ｋから熱を奪って温度を下げるための熱交換器としての蒸発器２２が設けられている。すなわち、蒸発器２２はダクト２０内の空気を冷却する冷却器として機能する。
【００１５】
冷気循環用送風機２１が駆動されることで、吸込部１６から陳列室２の冷気Ｋが冷気循環ダクト２０の内部に吸い込まれる。そして、この冷気Ｋが、底面棚板７の下方位置を通って後方に向かって送られ、後面板８の後方側を上昇する。このときに、蒸発器２２により冷気Ｋが冷却される。さらに、この冷気Ｋが、天井板６の上方位置を通って前方に向かって送られ、吹出部１８から吹き出される。
【００１６】
吹出部１８から吹き出された冷気Ｋによって陳列室２の商品１０が冷やされ、この冷気Ｋが再び吸込部１６から冷気循環ダクト２０に吸い込まれる。このように、陳列室２の冷気循環ダクト２０との間で冷気Ｋが循環される。
【００１７】
基台部４の内部には、冷媒を圧縮する圧縮機２３と、冷媒を凝縮する熱交換器としての凝縮器２４と、この凝縮器２４に対向して配置される放熱用送風機２５とが収容される。蒸発器２２と圧縮機２３と凝縮器２４とが冷媒を循環させる冷媒配管を介して互いに接続されている。そして、蒸発器２２と凝縮器２４との間で冷媒を循環させることで冷凍サイクルが構成される。なお、基台部４の前面側には、空気が流通可能な流通部２６が設けられ、この流通された空気により凝縮器２４の放熱が行えるようになっている。
【００１８】
天井部３の吹出部１８の前方位置には、庇部２７が設けられる。この庇部２７には、照明部２８が設けられ、この照明部２８により商品１０を照らすことができるようになっている。また、庇部２７は商品情報等を表示する表示部としての機能、または照明部２８からの光を透過するシェードとしての機能等を有している。
【００１９】
底面棚板７の下方位置にある断熱部１９の底面２９は、蒸発器２２の直下の位置から前方に向かって下がるように傾斜されている。そして、この底面棚板７の前側には、蒸発器２２から滴り落ちるドレン水を排水する排水部３０が設けられている。排水部３０には、オープンショーケース１の外部まで延びる排水パイプ３１が接続されている。蒸発器２２の表面で結露により生じたドレン水は、断熱部１９の底面２９を流れ落ちて、排水部３０からオープンショーケース１の外部に排水される。
【００２０】
底面棚板７および蓋材１７は、着脱可能になっている。オープンショーケース１のメンテナンスを行うときには、底面棚板７および蓋材１７を取り外すことで、排水部３０にアクセスすることができる。そして、この排水部３０に詰まったゴミなどの異物を除去することができる。
【００２１】
店舗に来店した客は、オープンショーケース１の前面の開口から各陳列部１１〜１５の商品１０を取り出すことができる。以下の説明において、最上段の陳列部から順に、第１陳列部１１、第２陳列部１２、第３陳列部１３、第４陳列部１４、第５陳列部１５と称する。
【００２２】
陳列室２の後面板８には、陳列部１１〜１５にそれぞれに対応して開口され、冷気循環ダクト２０内の冷気Ｋを陳列室２に向かって吹き出させる後面吹出部４１〜４５が設けられている。これらの後面吹出部４１〜４５は、複数の横長のスリット孔３２（図６参照）を上下左右に規則的に配列することにより形成される。なお、スリット孔３２は、円形を成しても良いし、四角形を成しても良い。このように、後面吹出部４１〜４５は複数のスリット孔３２のような小孔が配列された吹出領域である。このように小孔を複数設けることにより、流速の遅い気流が陳列室内の前方に向かって発生するようになっている。
【００２３】
本実施形態のオープンショーケース１は、商品１０を冷蔵する機能の他に、一部の商品１０を温蔵することができる。つまり、冷蔵したい商品１０と温蔵したい商品１０とを同時に陳列することができる。例えば、陳列室２の上部の第１陳列部１１と第２陳列部１２とを、温蔵領域（非冷蔵領域）に切り換えることができる。この切り換えは、後面板８に設けられた仕切板３３，３４（ダンパ）を操作することで行う。この仕切板３３，３４により冷気循環ダクト２０内の流路の開放または閉鎖を行うことができる。なお、第３陳列部１３から第５陳列部１５までは、常に冷蔵領域として使用される。
【００２４】
図３に示すように、冷気循環ダクト２０は、陳列室２の後面板８よりも後方側を下部から上部に向かって延びる。そして、冷気循環用送風機２１（図１参照）が駆動されることで、後面板８の後方位置において、冷気循環ダクト２０内の下部から上部に向かって冷気Ｋが送られる。なお、後面板８は、その上部が後方に傾くように傾斜されている。そのため、冷気Ｋが上昇される冷気循環ダクト２０の流路の前後幅は、下部から上部に向かって小さくなっている（図２参照）。
【００２５】
本実施形態では、上下２段の仕切板３３，３４が設けられている。第１陳列部１１の陳列棚９と第２陳列部１２との間に上段の仕切板３３が設けられ、第２陳列部１２の陳列棚９と第３陳列部１３の陳列棚９との間に下段の仕切板３４が設けられる。これらの仕切板３３，３４は、作業者が陳列室２の正面側から手を差し入れて、その位置を移動させることができる。
【００２６】
下段の仕切板３４は、冷気循環ダクト２０内の流路が開放される第１位置（図３参照）と冷気循環ダクト２０内の流路が閉鎖される第２位置（図４参照）との間で移動可能となっている。
【００２７】
下段の仕切板３４が第１位置（開放位置）にあるときには、この下段の仕切板３４よりも上方に冷気Ｋが流れる。この冷気Ｋが第１陳列部１１および第２陳列部１２の後面吹出部４１，４２から吹き出されるので、第１陳列部１１および第２陳列部１２の冷蔵が維持される。つまり、この下段の仕切板３４よりも上方の領域が冷蔵領域として維持される。
【００２８】
また、下段の仕切板３４が第２位置（閉鎖位置）にあるときには、冷気循環ダクト２０内の流路が閉鎖され、この下段の仕切板３４よりも上方に冷気Ｋが流れないようになる。つまり、第１陳列部１１および第２陳列部１２の領域が温蔵領域（非冷蔵領域）となる。
【００２９】
なお、第１陳列部１１および第２陳列部１２のそれぞれに対応する陳列棚９の上面には、商品１０を温めるヒータ３５が設けられている。第１陳列部１１および第２陳列部１２を温蔵領域とする場合には、下段の仕切板３４を第２位置に移動させるとともに、第１陳列部１１および第２陳列部１２のそれぞれの陳列棚９のヒータ３５を作動させる。また、第１陳列部１１および第２陳列部１２の商品１０を常温で陳列する場合には、ヒータ３５を作動させなくても良い。
【００３０】
上段の仕切板３３は、冷気循環ダクト２０内の流路が開放される第１位置（図３参照）と冷気循環ダクト２０内の流路が閉鎖される第２位置（図５参照）との間で移動可能となっている。
【００３１】
上段の仕切板３３が第１位置（開放位置）にあるときには、この上段の仕切板３３よりも上方に冷気Ｋが流れる。この冷気Ｋが第１陳列部１１の後面吹出部４１から吹き出されるので、第１陳列部１１の冷蔵が維持される。つまり、この上段の仕切板３３よりも上方の領域が冷蔵領域として維持される。
【００３２】
また、上段の仕切板３３が第２位置（閉鎖位置）にあるときには、冷気循環ダクト２０内の流路が閉鎖され、この上段の仕切板３３よりも上方に冷気Ｋが流れないようになる。つまり、第１陳列部１１の領域が温蔵領域（非冷蔵領域）となる。
【００３３】
第１陳列部１１を温蔵領域とする場合には、上段の仕切板３３を第２位置に移動させるとともに、第１陳列部１１の陳列棚９のヒータ３５を作動させる。また、第１陳列部１１の商品１０を常温で陳列する場合には、ヒータ３５を作動させなくても良い。
【００３４】
仕切板３３，３４は、後面板８の前面側と冷気循環ダクト２０内とを移動可能な板状を成す部材である。また、後面板８には、仕切板３３，３４が第１位置にあるときに閉塞され、仕切板３３，３４が第２位置にあるときに開放される大口吹出部３６，３７が設けられる。この大口吹出部３６，３７を開放させることにより、冷気循環ダクト２０内の冷気Ｋが陳列室２に向かって吹き出す。このようにすれば、冷気循環ダクト２０内から後面板８を通過して陳列室２に流れる冷気Ｋの流れにおいて、大口吹出部３６，３７により主流となる冷気Ｋの流れを生じさせることができる。
【００３５】
さらに、大口吹出部３６，３７の左右方向の開口寸法は、仕切板３３，３４の左右方向寸法と略同一かそれよりも大きくなっている。つまり、大口吹出部３６，３７は、仕切板３３，３４が出し入れ可能な寸法で開口される。仕切板３３，３４が大口吹出部３６，３７を介して冷気循環ダクト２０の内部に出し入れされることで、仕切板３３，３４が第１位置と第２位置との間で移動可能となっている。
【００３６】
図４および図５に示すように、冷気循環ダクト２０の左右の内側面には、仕切板３３，３４を案内するガイドレール３８が設けられている。仕切板３３，３４の左右の両端には、ガイドレール３８に案内される軸部３９が設けられる。また、冷気循環ダクト２０の左右の内側面には、第２位置に移動された仕切板３３，３４を掛止させるストッパ４０が設けられている。
【００３７】
ここで、ストッパ４０は係止片またはその他種々の形態でよい。例えば、ストッパ４０を冷気循環ダクト２０内に設けずに、仕切板３３，３４側に設けて固定する構成としてもよい。例えば、仕切板３３，３４の後端部に磁石を設け、仕切板３３，３４を第２位置に移動させた際に、仕切板３３，３４の後端部が冷気循環ダクト２０の内面に磁力により固定されるように構成されてもよい。
【００３８】
また、仕切板３３，３４は大口吹出部３６，３７に出し入れされる構成ではなくてもよい。例えば、大口吹出部３６，３７の上方側に仕切板３３，３４を出し入れ可能な開口部を別途設け、この別途設けた開口部高さにガイドレール３８を設ける構成とし、この開口部に大口吹出部３６，３７が出し入れされてもよい。
【００３９】
図３および図６に示すように、複数のスリット孔３２が横方向および縦方向に並ぶことで、後面吹出部４２，４３が形成される。例えば、第２陳列部１２に対応する後面吹出部４２は、横方向に１０個のスリット孔３２が並び、縦方向に５個のスリット孔３２が並ぶ。また、第３陳列部１３に対応する後面吹出部４３は、横方向に１０個のスリット孔３２が並び、縦方向に６個のスリット孔３２が並ぶ。
【００４０】
図４および図７に示すように、冷気循環ダクト２０の内部であり、かつ後面板８の後面における大口吹出部３６，３７の直下の位置から突出される風向板４６が設けられる。この風向板４６は、後面板８から後方に突出される板状を成す部材である。また、風向板４６の左右幅は、大口吹出部３６，３７の左右幅とほぼ同じ寸法となっている。
【００４１】
この風向板４６は、後面吹出部４２，４３のスリット孔３２を利用して取り付けられる。例えば、後面吹出部４２，４３の最上列のスリット孔３２に、後面板８の前面側から取付金具４７を取り付ける。そして、後面板８の後面側に取り付けた風向板４６を、取付金具４７にネジ４８で固定する。なお、取付金具４７は、横長の板状を成す部材である。この取付金具４７により最上列のスリット孔３２が閉塞される。
【００４２】
本実施形態では、風向板４６が設けられることで、冷気循環ダクト２０内において、大口吹出部３６，３７から吹き出す前の冷気Ｋに対する抵抗部とすることができる。そのため、後面吹出部４２，４３からの風量を増加させるとともに、大口吹出部３６，３７から吹き出す冷気Ｋの勢いを弱めることができる。そのため、陳列室２に冷気Ｋを留まらせることができる。
【００４３】
なお、後面吹出部４２，４３の開口面積が充分に確保され、大口吹出部３６，３７からの冷気Ｋの勢いが充分に弱められる場合には、風向板４６は必ずしも設ける必要はない。風向板４６を設けないことにより冷気循環ダクト２０内の送風抵抗が増加することがなく、送風機２５の送風効率を低下させることがなく、必要以上に陳列室側への冷気の送風を行うことがない。また、風向板４６は陳列室側への冷気送風量または送風機２５の送風抵抗に応じて部分的に配置されてもよい。すなわち、風向板４６の大きさまたは数によって、大口吹出部３６，３７からの冷気Ｋの吹出す勢いを調整することができる。
【００４４】
図７および図８に示すように、仕切板３３，３４が後面板８の前面側にあるときに後面吹出部４２，４３の上方側一部が仕切板３３，３４により閉塞される。また、仕切板３３，３４が冷気循環ダクト２０内にあるときに後面吹出部４２，４３の上方側一部が仕切板３３，３４により開放される。つまり、仕切板３３，３４が第１位置と第２位置との間で移動されるときに、後面吹出部４２，４３の開口面積Ｑ１，Ｑ２が変化される。このようにすれば、仕切板３３，３４の移動により後面吹出部４２，４３の開口面積Ｑ１，Ｑ２を大きくしたり小さくしたりすることができる。
【００４５】
例えば、第２陳列部１２に対応する後面吹出部４２の開口面積Ｑ１は、上部の領域Ｒ１と下部の領域Ｒ２のそれぞれのスリット孔３２の開口面積を合わせたものである。なお、第２陳列部１２に対応する後面吹出部４２では、上部の領域Ｒ１と下部の領域Ｒ２のそれぞれの開口面積が同じである。ここで、上段の仕切板３３が第１位置（図７参照）にあるときに、上部の領域Ｒ１が仕切板３３により閉塞される。一方、仕切板３３が第２位置（図８参照）にあるときに、上部の領域Ｒ１が開放される。
【００４６】
また、第３陳列部１３に対応する後面吹出部４３の開口面積Ｑ２は、上部の領域Ｒ３と下部の領域Ｒ４のそれぞれのスリット孔３２の開口面積を合わせたものである。なお、第３陳列部１３に対応する後面吹出部４３では、上部の領域Ｒ３の開口面積が、下部の領域Ｒ４の開口面積よりも大きい。ここで、下段の仕切板３４が第１位置（図７参照）にあるときに、上部の領域Ｒ３が仕切板３４により閉塞される。一方、仕切板３４が第２位置（図８参照）にあるときに、上部の領域Ｒ４が開放される。
【００４７】
後面吹出部４２，４３では、上部の領域Ｒ１，Ｒ３が、大口吹出部３６，３７の直下に設けられて仕切板３３，３４により開閉される開閉領域となっている。また、開閉領域Ｒ１，Ｒ３の直下に設けられる下部の領域Ｒ２，Ｒ４が、常時開放される開放領域となっている。このようにすれば、大口吹出部３６，３７から吹き出される冷気Ｋの勢いを後面吹出部４２，４３の開閉領域Ｒ１，Ｒ３の開閉により調整することができる。
【００４８】
すなわち、第２陳列部１２において、後面開口部４２の領域Ｒ２が第１吹出部であり、領域Ｒ２が第２吹出部に相当し、大口吹出部３６が第３吹出部に相当する。また、同様に第３陳列部１３においては、後面開口部４３の領域Ｒ４が第１吹出部であり、領域Ｒ４が第２吹出部に相当し、大口吹出部３７が第３吹出部に相当する。すなわち、第１吹出部、第２吹出部、第３吹出部は下方から上方に向かって順次配置されており、第３吹出部の開口内に出し入れされるように仕切板３３，３４が配置されている。さらに、仕切板３３，３４が第１位置にある場合には、第２吹出部および第３吹出部は仕切板３３，３４によって閉塞された状態となり、第２位置にある場合には、開放された状態となる。
【００４９】
第１吹出部および第２吹出部は、開口面積の小さなスリット孔３２を複数配列した吹出領域である。一方、第３吹出部は、それとは異なる形態の吹出口の形状を有する吹出領域である。すなわち、第３吹出部は、スリット孔３２を配列した形態ではなく、陳列棚９および冷気循環ダクト２０の左右方向長さと略同一長さに形成される横長の略長方形状の開口部であり、第１，第２吹出部に比較して、陳列部側へ送風される冷気の送風抵抗が小さく抑えられため、第１，第２吹出部よりも多少風速が速い冷気が供給される。
【００５０】
これにより、陳列部の下方側の風速が最も遅く、上方側が多少速い風速となり、陳列部に商品等が陳列されている場合に、陳列された商品の上方を冷気が流れるとともに、それよりも下方であって商品の高さに冷気が滞留しやすくなっている。
【００５１】
なお、本実施形態では、それぞれの後面開口部４２，４３において、第２吹出部と第３吹出部とが、１枚の仕切板３３，３４により開閉されているが、他の形態であっても良い。例えば、第２吹出部を開閉する第１の仕切板を設けるとともに、第３吹出部を開閉する第２の仕切板を設けるようにしても良い。つまり、第１位置と第２位置との間で移動されるときに、第２吹出部を開放または閉塞する第１の仕切板と、第３吹出部を開放または閉塞する第２の仕切板とをそれぞれ別部材として上下方向に連結して設けるようにしても良い。第１の仕切板と第２の仕切板とは、互いに分離、回動または摺動可能に連結されることで、第１位置にあるときにおいて、第３吹出部を閉塞しつつ、第２吹出部を開放することが可能となる。さらに、第２位置にあるときに、ダクト２０を閉塞する仕切板３３，３４としての機能も有することができる。また、第１の仕切板と第２の仕切板とを分離可能に構成しておき、かつ、第１の仕切板単独で第２吹出部を閉塞するように構成することで、第３吹出部を開放しつつ、第２の吹出部を閉塞することもできる。
【００５２】
仕切板３３，３４により冷気循環ダクト２０の流路が閉鎖された部分において、後面吹出部４２，４３の開閉領域Ｒ１，Ｒ３が開放されることで、大口吹出部３６，３７から吹き出す冷気Ｋの勢いを弱めることができる。そのため、陳列室２に冷気Ｋを留まらせて冷却効率を向上させることができる。さらに、後面吹出部４２，４３の開口面積Ｑ１，Ｑ２が拡大されるので、後面吹出部４２，４３から吹き出す冷気Ｋの量が増大される。そのため、陳列棚９の前方の商品１０まで効果的に冷却することができる。
【００５３】
本実施形態では、第２陳列部１２に対応する後面吹出部４２の開閉領域Ｒ１と、第３陳列部１３に対応する後面吹出部４３の開閉領域Ｒ３とで、開口面積が異なっている。例えば、上方側の開閉領域Ｒ１の開口面積は、上下２列のスリット孔３２の開口面積であり、下方側の開閉領域Ｒ３の開口面積は、上下３列のスリット孔３２の開口面積である。つまり、下方側の開閉領域Ｒ３の開口面積よりも、上方側の開閉領域Ｒ１の開口面積が小さくなっている。
【００５４】
このように上方側の陳列部１２に設けられた後面吹出部４２の開閉領域Ｒ１に比較して、下方側の陳列部１３に設けられた後面吹出部４３の開閉領域Ｒ３のスリット孔３２の方が、総開口面積が広く形成されているため、上方側の仕切板３３を閉じる場合であっても、下方側の仕切板３４を閉じる場合であっても、大口吹出部３６，３７から吹出す冷気の風速が速くなりすぎることがない。
【００５５】
また、回転数可変の送風機を用いた場合であっても、インバータの性能または蒸発器容量等の制約から送風機の最低回転数を低くすることができなくとも、上記のように後部吹出部４３，４２の開口面積を拡大することにより大口吹出部３６，３７から吹出す冷気の風速と風量を抑えることができる。
【００５６】
冷気循環ダクト２０を上昇する冷気Ｋは、上昇の途中で後面板８の後面吹出部４１〜４５から陳列室２に流れ出る。そのため、冷気循環ダクト２０を上昇する冷気Ｋの量は、冷気循環ダクト２０の上部に行くに従って減るようになっている。
【００５７】
本実施形態では、仕切板の移動により変化される開閉領域Ｒ１，Ｒ３の開口面積が、下方側の後面吹出部４３の開閉領域Ｒ３よりも上方側の後面吹出部４２の開閉領域Ｒ１の方が小さくなっているので、仕切板３３，３４の移動により変化される後面吹出部４２，４３から吹き出す冷気Ｋの風量のバランスを整えることができる。例えば、上方側の後面吹出部４２から吹き出す冷気Ｋの風量と、下方側の後面吹出部４３から吹き出す冷気Ｋの風量とをほぼ同じにすることができる。
【００５８】
なお、本実施形態では、少なくとも上下方向に規則的に配列された複数のスリット孔３２が後面板８に設けられることで、後面吹出部４１〜４５を形成しているが、他の実施形態でも良い。例えば、後面板８の一部に上下左右に連続して規則的に配列されたパンチ孔が形成されたパンチングメタル板を設けることで後面吹出部４１〜４５を形成しても良い。後面板８の一部に網目状の部材を設けることで後面吹出部４１〜４５を形成しても良い。
【００５９】
なお、後面吹出部４２，４３は、複数のスリット孔３２で形成しなくても良い。例えば、後面吹出部４２の上部の領域Ｒ１から下部の領域Ｒ２に亘って一体的に設けられる大きな開口であっても良い。
【００６０】
以上説明した実施形態によれば、陳列部同士の間に設けられ、ダクト内の流路が開放される第１位置とダクト内の流路が閉鎖される第２位置との間で移動可能で、かつこの移動により後面吹出部の開口面積を変化させる仕切板を備えることにより、簡素な構造でより安価でありながら陳列室に冷気を留まらせて冷却効率を向上させることができる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００６２】
１…オープンショーケース、２…陳列室、３…天井部、４…基台部、５…ガラス板、６…天井板、７…底面棚板、８…後面板、９…陳列棚、１０…商品、１１〜１５…陳列部、１６…吸込部、１７…蓋材、１８…吹出部、１９…断熱部、２０…冷気循環ダクト、２１…冷気循環用送風機、２２…蒸発器、２３…圧縮機、２４…凝縮器、２５…放熱用送風機、２６…流通部、２７…庇部、２８…照明部、２９…底面、３０…排水部、３１…排水パイプ、３２…スリット孔、３３，３４…仕切板、３５…ヒータ、３６，３７…大口吹出部、３８…ガイドレール３９…軸部、４０…ストッパ、４１〜４５…後面吹出部、４６…風向板、４７…取付金具、４８…ネジ、Ｋ…冷気、Ｑ１，Ｑ２…開口面積、Ｒ１〜Ｒ４…領域。
【図１】
2019202056.tif 000003
【図２】
2019202056.tif 000004
【図３】
2019202056.tif 000005
【図４】
2019202056.tif 000006
【図５】
2019202056.tif 000007
【図６】
2019202056.tif 000008
【図７】
2019202056.tif 000009
【図８】
2019202056.tif 000010